(57)【特許請求の範囲】
【請求項１】
録画予約した番組および録画済の番組のうち少なくともいずれか一方に関する、少なくとも番組名を含む番組情報を記憶する番組情報データベースと、
前記番組情報データベースに番組情報が記憶されている対象番組について、操作入力部を介した操作に従って、番組名を変更する番組名変更部とを備え、
前記番組名変更部は、前記対象番組の番組名を変更したとき、前記番組情報データベースに番組情報が記憶されている番組の中の、前記対象番組と特定の属性が一致する番組である関連番組について、前記対象番組に行った変更内容に基づいて、番組名を変更する
ことを特徴とする録画再生装置。
【請求項２】
請求項１記載の録画再生装置において、
前記番組名変更部による変更内容を保存する変更内容保存部を備え、
前記番組名変更部は、前記対象番組の番組名を変更したとき、変更内容を前記変更内容保存部に保存し、前記関連番組の番組名を変更するとき、前記変更内容保存部から前記変更内容を読み出す
ことを特徴とする録画再生装置。
【請求項３】
請求項２記載の録画再生装置において、
前記番組名変更部は、前記対象番組の番組名の変更として、文字列の削除を行ったとき、削除した文字列を、変更内容として前記変更内容保存部に保存する
ことを特徴とする録画再生装置。
【請求項４】
請求項２記載の録画再生装置において、
前記番組名変更部は、前記対象番組の番組名の変更として、文字列の追加を行ったとき、追加した文字列と、追加位置の前後のうち少なくともいずれか一方における少なくとも１つの文字とを、変更内容として前記変更内容保存部に保存する
ことを特徴とする録画再生装置。
【請求項５】
請求項２記載の録画再生装置において、
前記番組名変更部は、前記対象番組の番組名を変更したとき、変更内容とともに、変更前の番組名を前記変更内容保存部に保存する
ことを特徴とする録画再生装置。
【請求項６】
請求項１〜５のうちいずれか１項記載の録画再生装置において、
前記番組名変更部は、前記関連番組の番組名を変更する場合において、変更後番組名として複数の候補があるとき、前記複数の候補のうち、前記対象番組の変更後番組名との文字の一致率が最も高い候補を、前記関連番組の変更後番組名として決定する
ことを特徴とする録画再生装置。
【請求項７】
請求項１〜５のうちいずれか１項記載の録画再生装置において、
前記番組名変更部は、前記関連番組の番組名を変更する場合において、変更後番組名として複数の候補があるとき、前記複数の候補を表示部に表示し、前記操作入力部を介して選択された候補を、前記関連番組の変更後番組名として決定する
ことを特徴とする録画再生装置。
【請求項８】
請求項１〜７のうちいずれか１項記載の録画再生装置において、
前記番組名変更部は、定期的に放送される一連の定期番組のうちのいずれかを前記対象番組として番組名を変更したとき、前記一連の定期番組における他の番組を前記関連番組として、番組名を変更する
ことを特徴とする録画再生装置。
【請求項９】
請求項１〜７のうちいずれか１項記載の録画再生装置において、
前記番組情報データベースに番組情報が記憶されている番組の中から、前記対象番組と特定の属性が一致する番組を関連番組として検索する関連番組検索部を備え、
前記番組名変更部は、前記関連番組検索部によって検索された関連番組について、前記対象番組に行った変更内容に基づいて、番組名を変更する
ことを特徴とする録画再生装置。
【請求項１０】
請求項９記載の録画再生装置において、
前記関連番組検索部は、前記特定の属性として、チャンネル、放送曜日、および放送時間帯を用い、前記対象番組とチャンネル、放送曜日、および放送時間帯が同一の番組を、関連番組として検索する
ことを特徴とする録画再生装置。
【請求項１１】
請求項９記載の録画再生装置において、
前記関連番組検索部は、前記特定の属性として、番組名を用い、前記対象番組の変更前の番組名と、各文字位置において一致する文字数が所定の閾値以上である番組名を有する番組を、関連番組として検索する
ことを特徴とする録画再生装置。
【請求項１２】
請求項９記載の録画再生装置において、
前記関連番組検索部は、前記特定の属性として、番組ＩＤを用い、前記対象番組と番組ＩＤが一致する番組を、関連番組として検索する
ことを特徴とする録画再生装置。
【発明の詳細な説明】
【技術分野】
【０００１】
本発明は、ＨＤＤ（Hard Disk Drive）レコーダなどの録画再生装置に関する。
【背景技術】
【０００２】
従来から、録画再生装置において番組名等の番組情報を変更する技術について、様々な提案がなされている。例えば特許文献１には、録画中の番組コンテンツから属性情報を抽出し、記録された録画済み番組情報の番組名等を、抽出された番組名等に置き換える構成が開示されている。特許文献２には、録画された番組の番組名称情報を、ＥＰＧ情報を用いて利便性良く変更する構成が開示されている。特許文献３には、同一番組名の各回で共通していない情報を表示することによって、視聴希望番組の探索を容易にする構成が開示されている。
【先行技術文献】
【特許文献】
【０００３】
【特許文献１】特許第４６５６５２７号公報
【特許文献２】特開２００９−５１２４号公報
【特許文献３】特開２００９−４９８０２号公報
【発明の概要】
【発明が解決しようとする課題】
【０００４】
録画再生装置では、例えば予約録画リストなど番組名を一覧表示する画面において、番組名表示に文字数制限がある場合が多い。この場合、例えば連続ドラマなど、番組名は同一だが第何話かが異なっているような番組では、画面に表示された番組名から第何話かが消えてしまい、番組内容を容易に認識できなくなる可能性がある。この問題は、ユーザが番組名を適切なものに変更すれば解消する。ただし、複数の番組について逐一、番組名を同様に変更することは、ユーザにとって面倒な作業となる。また同様に、番組名をユーザが好むように変更したい場合でも、複数の番組について逐一、番組名を同様に変更することは、ユーザにとって面倒な作業となる。
【０００５】
本発明は、録画再生装置において、番組名の変更を効率的に実行可能にし、ユーザの利便性を向上させることを目的とする。
【課題を解決するための手段】
【０００６】
本発明の一態様では、録画再生装置は、録画予約した番組および録画済の番組のうち少なくともいずれか一方に関する、少なくとも番組名を含む番組情報を記憶する番組情報データベースと、前記番組情報データベースに番組情報が記憶されている対象番組について、操作入力部を介した操作に従って、番組名を変更する番組名変更部とを備え、前記番組名変更部は、前記対象番組の番組名を変更したとき、前記番組情報データベースに番組情報が記憶されている番組の中の、前記対象番組と特定の属性が一致する番組である関連番組について、前記対象番組に行った変更内容に基づいて、番組名を変更する。
【０００７】
この態様によると、番組名変更部は、操作入力部を介した操作に従って、番組情報データベースに番組情報が記憶されている対象番組について、番組名を変更する。そして、番組名変更部は、番組情報データベースに番組情報が記憶されている番組の中から、対象番組と特定の属性が一致する番組である関連番組について、対象番組に行った変更内容に基づいて、番組名を変更する。これにより、ユーザが対象番組について行った番組名の変更が、対象番組と関連する番組に自動的に反映される。したがって、番組名の変更を効率的に実行可能になり、ユーザの利便性が向上する。
【０００８】
そして、上の態様の録画再生装置において、前記番組名変更部による変更内容を保存する変更内容保存部を備え、前記番組名変更部は、前記対象番組の番組名を変更したとき、変更内容を前記変更内容保存部に保存し、前記関連番組の番組名を変更するとき、前記変更内容保存部から前記変更内容を読み出すようにしてもよい。
【０００９】
この構成によると、対象番組の番組名の変更内容が変更内容保存部に保存され、関連番組の番組名が、変更内容保存部から読み出した変更内容に基づいて、変更される。これにより、ユーザが対象番組について行った番組名の変更が、対象番組と関連する番組に確実に反映される。
【００１０】
また、上の態様の録画再生装置において、前記番組名変更部は、前記対象番組の番組名の変更として、文字列の削除を行ったとき、削除した文字列を、変更内容として前記変更内容保存部に保存するようにしてもよい。
【００１１】
この構成によると、番組名の変更として文字列の削除を行ったとき、削除した文字列が保存されるので、関連番組の番組名の変更を確実に実行できる。
【００１２】
さらに、上の態様の録画再生装置において、前記番組名変更部は、前記対象番組の番組名の変更として、文字列の追加を行ったとき、追加した文字列と、追加位置の前後のうち少なくともいずれか一方における少なくとも１つの文字とを、変更内容として前記変更内容保存部に保存するようにしてもよい。
【００１３】
この構成によると、番組名の変更として文字列の追加を行ったとき、追加した文字列と追加位置を示す少なくとも１つの文字とが保存されるので、関連番組の番組名の変更を確実に実行できる
また、上の態様の録画再生装置において、前記番組名変更部は、前記対象番組の番組名を変更したとき、変更内容とともに、変更前の番組名を前記変更内容保存部に保存するようにしてもよい。
【００１４】
この構成によると、変更内容とともに、変更前の番組名が保存されるので、元の番組名に戻すことが容易になる。
【００１５】
また、上の態様の録画再生装置において、前記番組名変更部は、前記関連番組の番組名を変更する場合において、変更後番組名として複数の候補があるとき、前記複数の候補のうち、前記対象番組の変更後番組名との文字の一致率が最も高い候補を、前記関連番組の変更後番組名として決定するようにしてもよい。
【００１６】
この構成により、関連番組の変更後番組名として複数の候補があるとき、対象番組の変更後番組名との文字の一致率が最も高い候補が、関連番組の変更後番組として決定される。これにより、関連番組の番組名に変更候補が複数ある場合であっても、確実に、適切な番組名に変更することができる。
【００１７】
また、上の態様の録画再生装置において、前記番組名変更部は、前記関連番組の番組名を変更する場合において、変更後番組名として複数の候補があるとき、前記複数の候補を表示部に表示し、前記操作入力部を介して選択された候補を、前記関連番組の変更後番組名として決定するようにしてもよい。
【００１８】
この構成により、関連番組の変更後番組名として複数の候補があるとき、複数の候補が表示部に表示され、操作入力部を介して選択された候補が、関連番組の変更後番組として決定される。これにより、関連番組の番組名に変更候補が複数ある場合であっても、確実に、適切な番組名に変更することができる。
【００１９】
また、上の態様の録画再生装置において、前記番組名変更部は、定期的に放送される一連の定期番組のうちのいずれかを前記対象番組として番組名を変更したとき、前記一連の定期番組における他の番組を前記関連番組として、番組名を変更するようにしてもよい。
【００２０】
この構成により、定期的に放送される一連の定期番組のいずれかについてユーザが行った番組名の変更が、この一連の定期番組における他の番組に自動的に反映される。
【００２１】
また、上の態様の録画再生装置において、前記番組情報データベースに番組情報が記憶されている番組の中から、前記対象番組と特定の属性が一致する番組を関連番組として検索する関連番組検索部を備え、前記番組名変更部は、前記関連番組検索部によって検索された関連番組について、前記対象番組に行った変更内容に基づいて、番組名を変更するようにしてもよい。
【００２２】
この構成により、関連番組検索部によって、番組情報データベースに番組情報が記憶されている番組の中から、対象番組と特定の属性が一致する番組が関連番組として検索される。そして、番組名変更部は、関連番組検索部によって検索された関連番組について、対象番組に行った変更内容に基づいて、番組名を変更する。これにより、ユーザが対象番組について行った番組名の変更が、対象番組と関連する番組に自動的に反映される。
【００２３】
そして、上の態様の録画再生装置において、前記関連番組検索部は、前記特定の属性として、チャンネル、放送曜日、および放送時間帯を用い、前記対象番組とチャンネル、放送曜日、および放送時間帯が同一の番組を、関連番組として検索するようにしてもよい。
【００２４】
この構成により、対象番組についてユーザが行った番組名の変更が、この対象番組とチャンネル、放送曜日、および放送時間帯が同一の番組に、自動的に反映される。
【００２５】
また、上の態様の録画再生装置において、前記関連番組検索部は、前記特定の属性として、番組名を用い、前記対象番組の変更前の番組名と、各文字位置において一致する文字数が所定の閾値以上である番組名を有する番組を、関連番組として検索するようにしてもよい。
【００２６】
この構成により、対象番組についてユーザが行った番組名の変更が、この対象番組と番組名が類似している番組に、自動的に反映される。
【００２７】
また、上の態様の録画再生装置において、前記関連番組検索部は、前記特定の属性として、番組ＩＤを用い、前記対象番組と番組ＩＤが一致する番組を、関連番組として検索するようにしてもよい。
【００２８】
この構成により、対象番組についてユーザが行った番組名の変更が、この対象番組と番組ＩＤが一致する番組に、自動的に反映される。
【発明の効果】
【００２９】
本発明によると、ユーザが対象番組について行った番組名の変更が、対象番組と関連する番組に自動的に反映される。したがって、番組名の変更を効率的に実行可能になり、ユーザの利便性が向上する。
【図面の簡単な説明】
【００３０】
【図１】録画再生装置を含む映像再生システムの外観図
【図２】録画再生装置のハードウェア構成例を示すブロック図
【図３】録画再生装置の処理部における実施形態に係る機能構成を示すブロック図
【図４】第１実施形態における番組名変更処理の一例を示すフローチャート
【図５】録画予約リストの画面表示の例
【図６】ユーザによる番組名変更の例
【図７】図６の変更内容に従った番組名変更の例
【図８】番組名変更後における録画予約リストの画面表示の例
【図９】ユーザによる番組名変更の例
【図１０】図９の変更内容に従った番組名変更の例
【図１１】ユーザによる番組名変更の例
【図１２】図１１の変更内容に従った番組名変更の例
【図１３】ユーザによる番組名変更の例
【図１４】図１３の変更内容に従った番組名変更の例であり、変更候補が複数ある場合
【図１５】ユーザによる番組名変更の例
【図１６】図１５の変更内容に従った番組名変更の例であり、変更候補が複数ある場合
【図１７】第３実施形態における番組名変更処理の一例を示すフローチャート
【図１８】第３実施形態における番組名変更処理の一例を示すフローチャート
【発明を実施するための形態】
【００３１】
以下、本発明の実施の形態について、図面を参照して詳細に説明する。
【００３２】
（第１実施形態）
図１は実施形態に係る録画再生装置を含む映像再生システムの例を示す外観図である。図１の構成は、録画再生装置１００と、録画再生装置１００とケーブル１５０を介して接続されたディスプレイ２００とを含む。録画再生装置１００は、放送波などを介して送信される番組（コンテンツ）を録画し、録画した番組を再生する。録画再生装置１００は例えば、ＨＤＤ（Hard Disk Drive）レコーダまたはＢＤ（Blu-ray Disc（登録商標））レコーダなどである。ディスプレイ２００は、ＴＶ放送されている番組や、録画再生装置１００に録画された番組を表示する。ユーザはリモコン（リモートコントローラ）１０５等の操作によって、録画再生装置１００に録画された番組を再生し、ディスプレイ２００で視聴することができる。
【００３３】
図２は録画再生装置１００のハードウェア構成例の概略を示すブロック図である。図２の構成において、チューナ１０１は、アンテナ等で受信されたテレビ放送波を介して、番組のコンテンツ信号を受信する。映像音声処理部１１０は、エンコーダ１１１と、ＨＤＤ１１２と、デコーダ１１３とを含む。エンコーダ１１１は、チューナ１０１が受信したコンテンツ信号を符号化する。ＨＤＤ１１２は、エンコーダ１１１により符号化された映像コンテンツを記憶する。デコーダ１１３は、ＨＤＤ１１２に記憶された映像コンテンツを復号し、ディスプレイ２００に表示可能な形式の映像データおよびスピーカーから出力可能な形式の音声データを生成する。なお、ＨＤＤ１１２の代わりに、ＢＤなどを用いてもよい。
【００３４】
音声出力部１０２は、デコーダ１１３で生成された音声データをディスプレイ２００に出力する。出力された音声データは、ディスプレイ２００のスピーカーから出力される。映像出力部１０３は、デコーダ１１３で生成された映像データをディスプレイ２００に出力する。出力された映像データは、ディスプレイ２００に表示される。
【００３５】
リモコン受信部１０４は、録画再生装置１００のリモコン１０５から、録画再生装置１００を操作するための信号を受信する。システム制御部１２１は、リモコン受信部１０４が受信した信号等に基づいて、映像音声処理部１１０の処理を制御する。ＲＡＭ１２２は、システム制御部１２１による制御処理において利用されるデータを一時的に記憶する揮発性のメモリである。フラッシュＲＯＭ１２３は、システム制御部１２１による制御処理において利用されるデータを記憶する不揮発性のメモリである。システム制御部１２１、ＲＡＭ１２２、およびフラッシュＲＯＭ１２３は、処理部１２０に含まれる。この処理部１２０では、後述する番組名変更のような他の処理も実行される。
【００３６】
図３は処理部１２０における番組名変更処理に関わる機能構成を示すブロック図である。図３において、番組情報データベース（ＤＢ）１０は、チューナ１０１が受信した電子番組表１１と、ユーザが録画予約した番組の番組情報である録画予約番組情報１２と、すでに録画済の番組の番組情報である録画済番組情報１３とを記憶する。番組情報は、少なくとも番組名を含み、その他、サブタイトル、放送時間、放送チャンネル、出演者名などを含んでいてもよい。録画予約部１５は、リモコン１０５の操作を介してユーザによって選択された番組の録画予約を行う。
【００３７】
番組名変更部１６は、番組ＤＢ１０に番組情報が記憶されている番組の中のいずれかの番組を対象番組として、ユーザの操作に従って番組名を変更する。ここでの操作内容は、操作入力部の一例としてのリモコン１０５を介した操作に従って、リモコン受信部１０４を経由して、番組名変更部１６に与えられる。変更内容保存部１７は、番組名変更部１６による変更内容を一時的に保存する。そして番組名変更部１６は、対象番組の番組名を変更したとき、番組ＤＢ１０に番組情報が記憶されている番組の中の、対象番組と特定の属性が一致する番組である関連番組について、変更内容保存部１７に保存した、対象番組に行った変更内容に基づいて、番組名を変更する。
【００３８】
本実施形態では、番組名変更部１６は、例えば毎週同一チャンネルで同一時刻に放送される番組のような一連の定期番組のうちのいずれかについて、対象番組として番組名を変更したとき、この一連の定期番組における他の番組について、関連番組として、同一内容の変更を行うものとする。この場合は、特定の属性として、番組が放送されるチャンネルおよび時刻が用いられたことになる。
【００３９】
また、関連番組検索部１８は、番組ＤＢ１０に番組情報が記憶されている番組の中から、番組名変更部１６によって番組名が変更された対象番組と特定の属性が一致する番組を関連番組として検索する。番組名変更部１６は、対象番組の番組名を変更したとき、関連番組検索部１８によって検索された関連番組について、番組名を変更するようにしてもよい。関連番組検索部１８については、第３の実施形態において説明する。
【００４０】
なお、録画予約部１５、番組名変更部１６および関連番組検索部１８は、例えば、システム制御部１２１内に設けられたプロセッサが、フラッシュＲＯＭ１２３に記憶されたプログラムを実行することによって、実現される。また、変更内容保存部１７は、例えば、ＲＡＭ１２２によって実現され、番組情報ＤＢ１０は、例えば、フラッシュＲＯＭ１２３によって実現される。
【００４１】
以下、録画再生装置１００において実行される番組名変更処理について、具体的に説明する。図４は本実施形態における番組名変更処理の流れの一例を示すフローチャートである。ここでは、ユーザは、定期録画を行う、すなわち、定期的に放送される一連の定期番組を一斉に録画予約するものとする。録画予約する番組は、架空の教育番組「ＮＮＫ高校講座英語」とする。
【００４２】
まず、ユーザは、「ＮＮＫ高校講座英語」について全エピソードの録画予約を行う（Ｓ１１）。これにより、番組ＤＢ１０の録画予約番組情報１２に、「ＮＮＫ高校講座英語」全エピソードの番組情報が格納される。そして、ユーザは、図５に示すような録画予約リストをディスプレイ２００の画面に表示させる（Ｓ１２）。このとき、番組名表示に文字数制限があると、図５に示すように番組名が途中で切れてしまい、エピソードの区別がつかなくなる。そこで、ユーザは、リストに表示されたいずれかの番組を選択し、その番組名の変更を行う（Ｓ１３でＹｅｓ）。番組名の変更を行わないときは、処理を終了する（Ｓ１３でＮｏ）．
番組名の変更（Ｓ１４）は、例えば図６に示すように行われる。ユーザに選択された番組について、電子番組表から取得した番組名が「ＮＮＫ＿高校講座＿英語＿エピソード＿１」であったとする。ユーザは例えば、この番組名がリスト表示において他の番組と区別可能なように表示されるように、文字列の削除を行う。まず、文字列『ＮＮＫ＿』を番組名から削除する。さらに、文字列『講座＿』を番組名から削除する。このような変更の結果、番組名は「高校英語＿エピソード＿１」と変更される。なお、この変更を行う画面では、リスト表示において表示可能な文字列と表示できない文字列とが判別できるように、例えば、表示できない文字列の色を変える、などの処理を行ってもよい。
【００４３】
変更後、番組名変更部１６は、変更内容として、削除した文字列である『ＮＮＫ＿』『講座＿』を変更内容保存部１７に保存する（Ｓ１５）。そして番組名変更部１６は、保存した変更内容を、録画予約した他の定期番組に適用する（Ｓ１６）。これにより、例えば図７に示すように、番組名「ＮＮＫ＿高校講座＿英語＿エピソード＿２」が「高校英語＿エピソード＿２」に自動的に変更される。この結果、図８に示すような、番組同士が区別可能な録画予約リストを画面に表示させることができる。
【００４４】
なお、上の例では、番組名の変更において文字列の削除を行うものとしたが、文字列の追加を行うようにしてもよい。例えば図９に示すように、ユーザは、番組名「ＮＮＫ＿高校講座＿英語＿エピソード＿１」に対して、文字列『文法』を『語』と『＿』の間に追加する。このような変更の結果、番組名は「ＮＮＫ＿高校講座＿英語文法＿エピソード＿１」と変更される。変更後、番組名変更部１６は、変更内容として、追加した文字列『文法』と追加位置前後の文字『語』『＿』を変更内容保存部１７に保存する。そして番組名変更部１６は、保存した変更内容を、録画予約した他の定期番組に適用する。これにより、例えば図１０に示すように、番組名「ＮＮＫ＿高校講座＿英語＿エピソード＿２」が「ＮＮＫ＿高校講座＿英語文法＿エピソード＿２」に自動的に変更される。なお、変更内容として、追加した文字列と、追加位置前後のうちいずれか一方の文字とを、保存するようにしてもよい。あるいは、追加位置前後の両方または一方において、文字列を保存するようにしてもよい。すなわち、変更内容として、追加した文字列と、追加位置前後のうち少なくともいずれか一方における少なくとも１つの文字とを、保存するようにすればよい。
【００４５】
また、文字列の削除と追加を混在させてもよい。例えば図１１に示すように、ユーザは、番組名「ＮＮＫ＿高校講座＿英語＿エピソード＿１」に対して、文字列『文法』を『語』と『＿』の間に追加する。さらに、ユーザは、文字列『＿エピソード』を削除する。このような変更の結果、番組名は「ＮＮＫ＿高校講座＿英語文法＿１」と変更される。変更後、番組名変更部１６は、変更内容として、追加した文字列『文法』と追加位置前後の文字『語』『＿』、および、削除した文字列『＿エピソード』を変更内容保存部１７に保存する。そして番組名変更部１６は、保存した変更内容を、録画予約した他の定期番組に適用する。これにより、例えば図１２に示すように、番組名「ＮＮＫ＿高校講座＿英語＿エピソード＿２」が、「ＮＮＫ＿高校講座＿英語文法＿２」に変更される。
【００４６】
以上のように本実施形態によると、番組名変更部１６は、リモコン１０５を介した操作に従って、番組情報ＤＢ１０に番組情報が記憶されている対象番組について、番組名を変更する。そして、番組名変更部１６は、番組情報ＤＢ１０に番組情報が記憶されている番組の中から、対象番組と特定の属性が一致する番組である関連番組について、対象番組について行った変更内容に基づいて、番組名を変更する。これにより、ユーザが対象番組について行った番組名の変更が、対象番組と関連する番組に自動的に反映される。したがって、番組名の変更を効率的に実行可能になり、ユーザの利便性が向上する。
【００４７】
なお、録画予約した他の定期番組の番組名の自動変更を行う前に、変更予定である番組の番組名をディスプレイ２００に表示して、番組名の変更を行ってもよいかどうか、ユーザに確認させてもよい。
【００４８】
（第２実施形態）
第２実施形態では、ユーザが行った変更内容を他の番組名に適用する場合において、変更後の番組名の候補が複数あるときの処理について説明する。装置構成や基本的な処理の流れは、第１実施形態と同様である。
【００４９】
番組名の変更として文字列の削除を行う場合を例にとる。例えば図１３に示すように、対象番組について、電子番組表から取得した番組名が「ＮＮＫ＿高校英語＿基礎英語＿エピソード＿１」であったとする。ユーザは例えば、文字列『英語』を番組名から削除する。なお、番組名には『英語』は２個含まれているが、ユーザは『高校』に続く文字列『英語』を削除する。このような変更の結果、番組名は「ＮＮＫ＿高校＿基礎英語＿エピソード＿１」と変更される。
【００５０】
変更後、番組名変更部１６は、変更内容として、削除した文字列である『英語』を変更内容保存部１７に保存する。そして番組名変更部１６は、保存した変更内容を、録画予約した他の定期番組に適用する。このとき、例えば図１４に示すように、番組名「ＮＮＫ＿高校英語＿基礎英語＿エピソード＿２」の変更候補として、「ＮＮＫ＿高校＿基礎英語＿エピソード＿２」「ＮＮＫ＿高校英語＿基礎＿エピソード＿２」の２つが存在する。番組名変更部１６は、変更後番組名の候補が複数ある場合、ユーザによる変更後の番組名との文字の一致率が最も高いものを、変更後番組名として決定する。ここで、文字の一致率とは、番組名の各文字位置において文字が同一である割合のことをいう。図１４の例では、文字の一致率が高い方の「ＮＮＫ＿高校＿基礎英語＿エピソード＿２」が変更後番組名として採用される。
【００５１】
文字列の追加を行う場合も、同様の処理を行えばよい。例えば図１５に示すように、対象番組について、電子番組表から取得した番組名が「ＮＮＫ＿高校英語＿基礎英語＿第１回」であったとする。ユーザは例えば、文字列『文法』を『基礎英語』の後に追加する。このような変更の結果、番組名は「ＮＮＫ＿高校英語＿基礎英語文法＿第１回」と変更される。
【００５２】
変更後、番組名変更部１６は、変更内容として、追加した文字列『文法』と追加位置前後の文字『語』『＿』を変更内容保存部１７に保存する。そして番組名変更部１６は、保存した変更内容を、録画予約した他の定期番組に適用する。このとき、例えば図１６に示すように、番組名「ＮＮＫ＿高校英語＿基礎英語＿最終回」の変更候補として、「ＮＮＫ＿高校英語文法＿基礎英語＿最終回」「ＮＮＫ＿高校英語＿基礎英語文法＿最終回」の２つが存在する。番組名変更部１６は、変更後番組名の候補が複数ある場合、ユーザによる変更後の番組名との文字の一致率が最も高いものを、変更後番組名として決定する。図１６の例では、文字の一致率が高い方の「ＮＮＫ＿高校英語＿基礎英語文法＿最終回」が変更後番組名として採用される。
【００５３】
また、文字列の削除と追加が混在する場合にも、変更候補が複数ある場合には、同様の処理を行えばよい。また、削除する文字列また追加する文字列が複数ある場合において、変更候補が複数ある場合でも、同様の処理を行えばよい。例えば、文字列『英語』を３個含む番組名からユーザが２個の『英語』を削除した場合には、変更候補が３つ存在することになるが、この場合にも、文字の一致率が最も高い変更候補を、変更後番組名として決定するようにすればよい。
【００５４】
以上のように本実施形態によると、関連番組の番組名を変更する場合において、変更後番組名として複数の候補があるとき、対象番組の変更後番組名との文字の一致率が最も高い候補が、関連番組の変更後番組として決定される。これにより、関連番組の番組名に変更候補が複数ある場合であっても、確実に、適切な番組名に変更することができる。
【００５５】
なお、上の例では、関連番組について変更後番組名の候補が複数ある場合において、ユーザによる変更後の番組名との文字の一致率が最も高いものを採用するものとしたが、番組名の変更候補が複数ある場合の処理はこれに限られるものではない。例えば、変更後番組名として複数の候補があるとき、この複数の候補を表示部の一例であるディスプレイ２００に表示し、いずれかをユーザに選択させるようにしてもかまわない。ユーザは操作入力部の一例であるリモコン１０５の操作によっていずれかの候補を選択する。番組名変更部１６は、選択された候補を、関連番組の変更後番組名として決定すればよい。
【００５６】
（第３実施形態）
上述の第１および第２実施形態では、ユーザが定期録画を行う場合を例にとって説明を行った。すなわち、ユーザが定期的に放送される番組を一斉に録画予約する際に、ある番組名を変更したとき、その変更内容を他の定期番組に自動的に反映させるものとした。
【００５７】
これに対して、第３実施形態では、ユーザがある番組（対象番組）の番組名を変更したとき、関連番組検索部１８が、番組情報ＤＢ１０に番組情報が記憶された番組の中から、その対象番組と特定の属性が一致する番組を関連番組として検索し、検索された関連番組について、番組名変更部１６が、対象番組について行った変更内容に基づいて、番組名を変更するものとする。なお、ユーザが番組名を変更するタイミングとしては、例えば、通常の予約録画を行ったときや、録画予約済の番組リストを見たときなどがある。
【００５８】
関連番組の検索は、例えば次のようにして行えばよい。例えば、対象番組と、チャンネル、放送曜日および放送時間帯が同一である番組を、関連番組として検索すればよい。この場合は、特定の属性として、チャンネル、放送曜日および放送時間帯が用いられたことになる。あるいは、対象番組と番組名の一部が一致する番組を関連番組として検索すればよい。具体的には例えば、対象番組の変更前の番組名と、各文字位置において一致する文字数が所定の閾値以上である番組名を有する番組を、関連番組として検索すればよい。この場合は、特定の属性として、番組名が用いられたことになる。あるいは、例えば連続ドラマでは、各番組に同一のシリーズＩＤが付加されている場合がある。したがって、対象番組と、番組ＩＤが一致する番組を、関連番組として検索してもよい。この場合は、特定の属性として、番組ＩＤが用いられたことになる。
【００５９】
図１７は本実施形態における番組名変更処理の流れの一例を示すフローチャートであり、ユーザが通常の予約録画を行ったときに番組名の変更を行う場合を想定している。
【００６０】
まず、ユーザは、ある対象番組について録画予約を行う（Ｓ２１）。これにより、番組情報ＤＢ１０の録画予約番組情報１２に、この対象番組の番組情報が格納される。そして、ユーザは、この対象番組の番組名の変更を行う（Ｓ２２でＹｅｓ）。なお、番組名の変更を行わないときは、処理を終了する（Ｓ２２でＮｏ）。
【００６１】
番組名の変更（Ｓ２３）は、第１および第２実施形態で説明したものと同様に行われる。変更後、番組名変更部１６は、変更内容として、削除文字列や、追加文字列と追加位置を示す文字列などを変更内容保存部１７に保存する（Ｓ２４）。そして、関連番組検索部１８は、番組情報ＤＢ１０に番組情報が格納された番組の中から、対象番組と関連する関連番組を検索する（Ｓ２５）。このとき、関連番組検索部１８は、録画予約した番組から関連番組を探す場合は、録画予約番組情報１２を検索し、録画済みの番組から関連番組を探す場合は、録画済番組情報１３を検索する。あるいは、録画予約した番組および録画済みの番組の両方から関連番組を探す場合は、録画予約番組情報１２および録画済番組情報１３の両方を検索する。そして、検索された関連番組に対して、番組名変更部１６は、変更内容保存部１７に保存された変更内容に基づいて、番組名を変更する（Ｓ２６）。
【００６２】
図１８は本実施形態における番組名変更処理の流れの一例を示すフローチャートであり、ユーザが録画予約済みの番組リストを見たときに番組名の変更を行う場合を想定している。
【００６３】
まず、ユーザは、録画予約済みの番組リストをディスプレイ２００の画面に表示させる（Ｓ３１）。そしてユーザは、表示された番組リストの中のある番組について番組名の変更を行う（Ｓ３２でＹｅｓ）。なお、番組名の変更を行わないときは、処理を終了する（Ｓ３２でＮｏ）。
【００６４】
番組名の変更（Ｓ３３）は、第１および第２実施形態で説明したものと同様に行われる。変更後、番組名変更部１６は、変更内容として、削除文字列や、追加文字列と追加位置を示す文字列などを変更内容保存部１７に保存する（Ｓ３４）。そして、関連番組検索部１８は、番組情報ＤＢ１０に番組情報が格納された番組の中から、対象番組と関連する関連番組を検索する（Ｓ３５）。関連番組の検索対象については、図１７におけるＳ２５と同様である。そして、検索された関連番組に対して、番組名変更部１６は、変更内容保存部１７に保存された変更内容に基づいて、番組名を変更する（Ｓ３６）。
【００６５】
以上のように本実施形態によると、番組名変更部１６が、対象番組について番組名を変更したとき、関連番組検索部１８は、番組情報ＤＢ１０に番組情報が記憶されている番組の中から、対象番組と特定の属性が一致する番組を関連番組として検索する。そして、番組名変更部１６は、関連番組検索部１８によって検索された関連番組について、対象番組に行った変更内容に基づいて、番組名を変更する。これにより、ユーザが対象番組について行った番組名の変更が、対象番組と関連する関連番組に自動的に反映される。したがって、番組名の変更を効率的に実行可能になり、ユーザの利便性が向上する。
【００６６】
なお、上の例では、ユーザが番組名を変更するタイミングとして、通常の予約録画を行ったときや、録画予約済の番組リストを見たときを例として挙げたが、本実施形態における番組名変更処理を行うタイミングはこれらに限られるものではない。
【００６７】
また、番組名の自動変更を行う対象について、録画予約した番組のみとするか、録画済みの番組のみとするか、あるいは、その両方とするかについては、予め設定していてもよいし、また、ユーザに選択させてもよい。また、関連番組の番組名の自動変更を行う前に、変更予定の関連番組の番組名をディスプレイ２００に表示して、番組名の変更を行ってもよいかどうか、ユーザに確認させてもよい。
（他の実施形態）
上述の各実施形態において、番組名変更部１６は、対象番組の番組名を変更したとき、変更内容保存部１７に、変更内容ととともに、変更前の番組名を保存するようにしてもよい。これにより、変更した番組名を元の番組名に容易に戻すことができる。
【００６８】
また、録画再生装置１００において番組名変更の対象とする番組は、テレビ番組に限定されず、ラジオ番組であってもよい。また、放送番組に限定されず、オンデマンド配信、ネットワーク配信される番組であってもよい。
【００６９】
また、上述の各実施形態では、録画再生装置１００は、ハードディスクレコーダまたはＢＤレコーダなどであるとしたが、これに限定されるものではない。例えば、録画再生装置１００は、録画再生機能が備えられたテレビであってもよい。また、操作入力部はリモコン１０５に限られるものではなく、例えばタッチパネルなどであってもよい。
【産業上の利用可能性】
【００７０】
本発明は、ユーザ操作の利便性が高い録画再生装置を実現するのに有用である。
【符号の説明】
【００７１】
１０  番組情報データベース
１２  録画予約番組情報
１３  録画済み番組情報
１６  番組名変更部
１７  変更内容保存部
１８  関連番組検索部
１００  録画再生装置
１０５  リモコン（操作入力部）
２００  ディスプレイ（表示部）
【図１】
0006507960.tif 000002
【図２】
0006507960.tif 000003
【図３】
0006507960.tif 000004
【図４】
0006507960.tif 000005
【図５】
0006507960.tif 000006
【図６】
0006507960.tif 000007
【図７】
0006507960.tif 000008
【図８】
0006507960.tif 000009
【図９】
0006507960.tif 000010
【図１０】
0006507960.tif 000011
【図１１】
0006507960.tif 000012
【図１２】
0006507960.tif 000013
【図１３】
0006507960.tif 000014
【図１４】
0006507960.tif 000015
【図１５】
0006507960.tif 000016
【図１６】
0006507960.tif 000017
【図１７】
0006507960.tif 000018
【図１８】
0006507960.tif 000019